(57)【要約】【課題】原稿の主走査方向のサイズの検知が可能な原稿サイズ検知装置を提供する。【解決手段】まず、原稿が載置されたとき、フォトセンサがＯＮか否かを検知する（Ｓ１０１）。フォトセンサがＯＮであるときは（Ｓ１０１において、ＹＥＳ）、Ａ３サイズの原稿か、または縦向きに載置されたＡ４サイズの原稿かの２つの載置パターンあると認識する（Ｓ１０２）。ＬＥＤ１０１〜１２０を全点灯させた後、一方端から順にＬＥＤを消灯する（Ｓ１０３）。ＬＥＤの消灯により、形成された原稿の主走査方向の端縁の影に基づいて得られたラインデータが、縦向きに載置されたＡ４サイズの原稿のラインデータか否かを検知する（Ｓ１０４）。ラインデータが縦向きに載置されたＡ４サイズの原稿であると検知した場合は（Ｓ１０４において、ＹＥＳ）、「縦向きに載置されたＡ４サイズの原稿」と特定する（Ｓ１０５）。【選択図】図４
2010276633.tif 000002
【特許請求の範囲】
【請求項１】
原稿を載置する原稿載置台と、
前記原稿載置台を覆う寸法を有し、載置された前記原稿を押さえる原稿押さえと、
前記原稿載置台の下部に設けられ、主走査方向に複数の小光源を連続して有し、前記原稿載置台に載置された前記原稿を照射する照射装置と、
前記複数の小光源を個別に、点灯および消灯するよう制御する照射制御手段と、
前記複数の小光源により載置された前記原稿を照射したときに、前記原稿押さえに形成される前記原稿の主走査方向の端縁の影の位置を検知する影検知装置と、
前記影検知装置により検知した影の位置に基づいて、前記原稿の主走査方向のサイズを特定する特定手段と、
を含む、原稿サイズ検知装置。
【請求項２】
前記照射制御手段は、点灯された前記複数の小光源を、主走査方向の一方端から他方端に向けて順に消灯するよう制御する、請求項１に記載の原稿サイズ検知装置。
【請求項３】
前記照射制御手段は、消灯された前記複数の小光源を、主走査方向の一方端から他方端に向けて順に点灯するよう制御する、請求項１に記載の原稿サイズ検知装置。
【請求項４】
前記原稿載置台に載置された前記原稿が、副走査方向の所定の位置まで延在するか否かを検知する副走査方向検知装置を備える、請求項１〜３のいずれかに記載の原稿サイズ検知装置。
【請求項５】
前記照射制御手段は、前記副走査方向検知装置による載置された前記原稿の副走査方向のサイズの検知結果に基づいて、前記複数の小光源の点灯および消灯を制御する、請求項４に記載の原稿サイズ検知装置。
【請求項６】
請求項１〜５のいずれかに記載の前記原稿サイズ検知装置を備え、原稿を読取る画像読取り装置と、
用紙を格納する給紙カセットを備え、前記用紙を供給する給紙装置と、
前記画像読取り装置と前記給紙装置とを制御する装置制御手段と、
を備える画像形成装置。
【請求項７】
前記装置制御手段は、前記給紙装置が格納する用紙のサイズに基づいて、前記照射制御手段により前記複数の小光源の点灯および消灯を制御する、請求項６に記載の画像形成装置。
【発明の詳細な説明】
【技術分野】
【０００１】
この発明は、原稿サイズ検知装置および画像形成装置に関するものである。
【背景技術】
【０００２】
従来のデジタル複合機のような画像形成装置は、複写機能およびスキャナ機能を使用するため、画像読取り部の原稿載置台上に原稿を載置し、画像読取り部にて原稿を照射して原稿を読取るとともに、原稿サイズの検知を行っている。
【０００３】
たとえば、特開平５−２０７２３９号公報（以下、特許文献１という）によると、原稿サイズ検知装置は、原稿を主走査方向に読取るＣＣＤ（Ｃｈａｒｇｅ  Ｃｏｕｐｌｅｄ  Ｄｅｖｉｃｅ）イメージセンサと、プラテンに対応させて読取り可能な横送りの最大サイズの用紙から外れた位置に配置される１個のフォトセンサとで構成され、原稿をプラテンに載置し原稿の読取りを実行すると、スキャンモードにより原稿の輪郭を読取る。その原稿の輪郭より、ＣＣＤイメージセンサで原稿の主走査方向のサイズを検知するとともに、フォトセンサで原稿の副走査方向のサイズを検知し、２つの情報から原稿サイズを検知すると開示されている。
【０００４】
しかし、特許文献１における原稿サイズ検知装置には、サイズを検知するための原稿の輪郭は、載置された原稿を押さえる原稿押さえの色が、読取る原稿の地肌の色と同じ、または類似していた場合、原稿の輪郭を正確に読取ることができず、正確に原稿のサイズを検知することができないという問題があった。
【０００５】
そこで、特許文献１の問題を解決するため、照射したときに原稿の厚みによって形成される原稿の端縁の影から原稿サイズを検知する原稿サイズ検知装置が、たとえば、特開平６−２７５４７号公報（以下、特許文献２という）に開示されている。
【０００６】
特許文献２に開示される原稿サイズ検知装置は、読取った画像データの主走査方向を等間隔に区分した画素区間の画像信号を副走査方向の全ラインに対して積分する。そこで得られる積分値を微分して得られる変化率が、最終走査ライン位置から最初に閾値を超える変化点の位置、すなわち原稿後端の影の位置であるとして、そこを原稿の長さ、すなわち副走査方向のサイズとして算出する。また、複数の副走査方向の画素区画にできる影の個数を調べ、影の個数と画素区画の間隔との乗算により、それを原稿の幅、すなわち主走査方向のサイズとして算出すると開示されている。
【０００７】
また、特開２００１−２８５５８５号公報（以下、特許文献３という）に開示される原稿サイズ検知装置は、原稿載置台の原稿突き当て板に突き当てて載置された原稿を、主走査方向に平行な２本の光源を用いて、一方の光源により原稿の主走査方向に平行な一端側を照射して得られる影と、他方の光源により原稿の主走査方向に平行な他端側を照射して得られる影との距離から原稿の副走査方向のサイズを検知し、かつ、それら２本の影の長さから、原稿の主走査方向のサイズを検知すると開示されている。
【先行技術文献】
【特許文献】
【０００８】
【特許文献１】特開平５−２０７２３９号公報
【特許文献２】特開平６−２７５４７号公報
【特許文献３】特開２００１−２８５５８５号公報
【発明の概要】
【発明が解決しようとする課題】
【０００９】
上記したような、照射したときに形成される原稿の端縁の影の位置を算出して原稿サイズを検知する、特許文献２および３に開示される原稿サイズ検知装置の照射部は、主走査方向に平行な長細い矩形状の光源であり、副走査方向に移動可能な構成であるため、光源に対して平行な主走査方向に原稿の端縁の影を形成することが可能である。したがって、形成された原稿の主走査方向に平行な端縁の影から、原稿の副走査方向のサイズを検知することは可能であった。
【００１０】
しかしながら、上記した照射部の構成上、主走査方向に平行に延在する光源は、原稿の副走査方向に平行な端縁の影を形成することが困難であった。また、原稿サイズの検知の動作は、原稿押さえが閉じられる直前に行われるものもあるが、外側から入射する光の影響を受けるため、原稿の副走査方向に平行な端縁の影を形成することは困難であった。したがって、従来の原稿サイズ検知装置による原稿の副走査方向に平行な主走査方向の端縁の影の検知は、誤検知が発生しやすいという問題があった。
【００１１】
この発明の目的は、読取る原稿の主走査方向のサイズを確実に検知することが可能な、原稿サイズ検知装置を提供することを目的とする。
【００１２】
この発明の他の目的は、読取る原稿の主走査方向のサイズを確実に検知することが可能な、画像形成装置を提供することを目的とする。
【課題を解決するための手段】
【００１３】
この発明に係る原稿サイズ検知装置は、原稿を載置する原稿載置台と、原稿載置台を覆う寸法を有し、載置された原稿を押さえる原稿押さえと、原稿載置台の下部に設けられ、主走査方向に複数の小光源を連続して有し、原稿載置台に載置された原稿を照射する照射装置と、複数の小光源を個別に、点灯および消灯するよう制御する照射制御手段と、複数の小光源により載置された原稿を照射したときに、原稿押さえに形成される原稿の端縁の影の位置を検知する影検知装置と、影検知装置により検知した位置に基づいて、原稿のサイズを特定する特定手段とを含む。
【００１４】
好ましくは、照射制御手段は、点灯された複数の小光源を主走査方向の一方端から、他方端に向けて順に消灯するよう制御する。
【００１５】
さらに好ましくは、照射制御手段は、消灯された複数の小光源を主走査方向の一方端から、他方端に向けて順に点灯するよう制御する。
【００１６】
さらに好ましくは、原稿載置台に載置された原稿が、副走査方向の所定の位置まで延在するか否かを検知する副走査方向検知装置を備える。
【００１７】
さらに好ましくは、照射制御手段は、副走査方向検知装置による載置された原稿の副走査方向のサイズの検知結果に基づいて、複数の小光源の点灯および消灯を制御する。
【００１８】
この発明の他の局面において、画像形成装置は、上記したいずれかに記載の原稿サイズ検知装置を備え、原稿を読取る画像読取り装置と、用紙を格納する給紙カセットを有し、用紙を供給する給紙装置と、画像読取り装置と給紙装置とを制御する装置制御手段とを備える。
【００１９】
好ましくは、装置制御手段は、給紙装置が格納する用紙のサイズに基づいて、照射制御手段により複数の小光源の点灯および消灯を制御する。
【発明の効果】
【００２０】
この発明によると、照射部が主走査方向に連続して有する小光源を個別に点灯および消灯するよう制御することで、形成される原稿の主走査方向の端縁の影の位置を検知することが可能となる。したがって、原稿の主走査方向のサイズを確実に検知することが可能となる。
【図面の簡単な説明】
【００２１】
【図１】この発明の一実施形態に係る画像形成装置をデジタル複合機に適用した場合のデジタル複合機の構成を示すブロック図である。
【図２】（Ａ）は、画像読取り部の平面図であり、（Ｂ）は（Ａ）の矢視ＩＩＢ−ＩＩＢで示す断面図である。
【図３】原稿の主走査方向の端縁の影の形成、および影の位置の検知について説明するための図である。
【図４】制御部の動作を示すフローチャートである。
【発明を実施するための形態】
【００２２】
以下、この発明の実施形態を、図面を参照して説明する。
【００２３】
図１は、この発明の一実施形態に係る原稿サイズ検知装置を含む画像形成装置をデジタル複合機１０に適用した場合のデジタル複合機１０の構成を示すブロック図である。図１を参照して、デジタル複合機１０は、装置制御手段として作動し、デジタル複合機１０全体を制御する制御部１１と、画像データなどの書込みや読出しを行うためのＤＲＡＭ（Ｄｙｎａｍｉｃ  Ｒａｎｄｏｍ  Ａｃｃｅｓｓ  Ｍｅｍｏｒｙ）１２と、デジタル複合機１０におけるユーザとのインターフェースとなる操作部１３と、原稿を自動的に所定の原稿読取り位置へ搬送する原稿送り装置１４と、画像読取り装置として作動し、原稿送り装置１４によって搬送されてきた原稿を所定の読取り位置にてスキャナで読取る画像読取り部１５と、画像読取り部１５で読取られた原稿からその画像を形成する画像形成部１６と、読取る原稿のサイズと載置パターンを含む原稿の情報を記憶し、画像データなどを格納するハードディスク１７と、公衆回線２０に接続されるＦＡＸ通信部１８と、ネットワーク２１と接続するためのネットワークＩＦ（インターフェース）部１９と、給紙装置として作動し、複数の種類のサイズごとに用紙を格納する給紙カセットを備え、画像形成部１６に用紙を供給する給紙部２３とを備える。
【００２４】
制御部１１は、画像読取り部１５から出力される画像データをＤＲＡＭ１２に圧縮符号化して書き込み、ＤＲＡＭ１２に書き込んだデータを読出し、伸張復号化して画像形成部１６により出力する。
【００２５】
デジタル複合機１０は、画像読取り部１５により読取った画像データを用いて、ＤＲＡＭ１２を介して画像形成部１６において画像を形成することにより、複写機として作動する。また、デジタル複合機１０は、ネットワークＩＦ部１９を通じて、ネットワーク２１に接続されたパソコン２２から送信された画像データを用いて、ＤＲＡＭ１２を介して画像形成部１６において画像を形成することにより、プリンタとして作動する。さらに、デジタル複合機１０は、ＦＡＸ通信部１８を通じて、公衆回線２０から送信された画像データを用いて、ＤＲＡＭ１２を介して画像形成部１６において画像を形成することにより、また、画像読取り部１５により読取った画像データを、ＦＡＸ通信部１８を通じて公衆回線２０に送信することにより、ファクシミリ装置として作動する。
【００２６】
なお、図１において太線の矢印は画像データの流れを示しており、細線の矢印は制御信号または制御データの流れを示している。
【００２７】
次に、画像読取り部１５の構成について説明する。図２（Ａ）は、画像読取り部１５の平面図である。また、図２（Ｂ）は、図２（Ａ）の矢視ＩＩＢ−ＩＩＢで示す断面図である。
【００２８】
図２（Ａ）を参照して、画像読取り部１５は、短辺方向を主走査方向、および長辺方向を副走査方向として、原稿を載置するための矩形の原稿載置台３１と、照射装置として作動し、原稿載置台３１の下部に設けられ、複数の白色ＬＥＤ（Ｌｉｇｈｔ  Ｅｍｉｔｔｉｎｇ  Ｄｉｏｄｅ）チップ（以下、ＬＥＤという）を主走査方向に連続して有し、原稿を照射する照射部３２と、原稿載置台３１の長辺側の端部に設けられ、その端部を軸として回転運動による開閉動作で原稿を押さえる原稿押さえ３３と、原稿載置台３１の近傍に設けられ、ユーザに対して載置する原稿のサイズを視覚的にガイドするとともに、原稿の読取りを行う位置（以下、ホームポジションという。図２（Ａ）において、原稿載置台３１の右上端であって、原稿の一角を合わせる位置である。また、なお、以下の実施形態においては、常にホームポジションに原稿が載置されるものとする。）を指示する原稿サイズ指示板３４ａ、および３４ｂと、原稿載置台３１の下部に設けられ、原稿の反射光を画像データとして読取るＣＣＤ（Ｃｈａｒｇｅ  Ｃｏｕｐｌｅｄ  Ｄｅｖｉｃｅ）イメージセンサ（図示せず）と、副走査方向検知装置として作動し、原稿載置台３１の下部で、かつ長辺側の端部の近傍に設けられ、載置された原稿が副走査方向の所定の位置まで延在するか否かを検知するフォトセンサ３５とを備える。なお、ＣＣＤイメージセンサは、照射部３２により原稿を照射したときに形成される原稿の主走査方向の端縁の影の位置を検知する影検知装置として作動する。
【００２９】
図２（Ｂ）は、原稿載置台３１上にて、原稿２００が載置され、原稿押さえ３３で押さえられている状態を示しており、図２（Ａ）において矢印Ｘ方向より見た断面を示す図である。
【００３０】
ここで、原稿の載置の向きについて説明する。原稿の長辺方向と副走査方向とが平行となるように載置することを原稿の縦向きの載置とし、原稿の長辺方向と副走査方向とが垂直となるように載置することを原稿の横向きの載置とする。また、載置される原稿は、Ａ３サイズ、Ａ４サイズ、およびＡ５サイズの３種類とする。なお、原稿載置台３１は、Ａ３サイズの原稿を縦向きに載置できる寸法である。原稿サイズの検知を行うためには、原稿載置台３１内に収まるよう原稿を載置する必要がある。したがって、原稿の載置について、Ａ３サイズの原稿は横向きに載置することが不可能であること、またＡ４サイズおよびＡ５サイズの原稿はそれぞれ縦向き、または横向きに載置することは可能であることを考慮すると、計５つの載置パターンが存在する。
【００３１】
次に、照射部３２の構成について説明する。再び、図２（Ａ）、および図２（Ｂ）を参照して、照射部３２は、複数の小光源として２０個のＬＥＤ１０１〜１２０と、それらを主走査方向に１列に連続して有する基盤４１とを備える。ここにおいて、照射部３２は、制御部１１からの命令を受信し、デジタル複合機１０からの電力の供給を受け、ＬＥＤ１０１〜１２０を点灯および消灯するユニット（図示せず）と接続されている。これにより、制御部１１からの命令に基づき、ＬＥＤ１０１〜１２０をそれぞれ個別で点灯および消灯することが可能となる。なお、制御部１１は照射制御手段として作動する。
【００３２】
また、ＬＥＤ１０１〜１２０は、それぞれ約１５ｍｍの等間隔で、基盤４１に連続して設けられている。これにより、照射部３２は、主走査方向に約３００ｍｍの長細い矩形状の光源となるため、最大サイズのＡ３の原稿の読取りは、十分に行うことが可能である。なお、照射部３２は副走査方向に移動可能であり、原稿の読取りは副走査方向に移動しながら、照射部３２で原稿を照射し、その反射光を画像データとしてＣＣＤイメージセンサで読取る。
【００３３】
次に、原稿の主走査方向の端縁の影の形成、および影の位置の検知について説明する。図３は、原稿２００の主走査方向の端縁の影の形成、および影の位置の検知について説明するための図である。ここにおいて、原稿押さえ３３が完全に閉められたことを検知するセンサを設けてもよい。これにより、照射部３２により、原稿２００の主走査方向の端縁の影を形成するための照射光がユーザを照射するなどで不快感を与えることを回避することが可能となり、快適に原稿のサイズの検知、および原稿の読取りを行うことができる。
【００３４】
図３を参照して、（Ａ−１）〜（Ａ−３）は、第１の状況として、ＬＥＤ１０１〜１２０を全点灯したときを示している。第１の状況において、（Ａ−１）は、図２（Ａ）に示すように、原稿載置台３１の上端部に照射部３２が位置するときの断面を示し、（Ａ−２）は（Ａ−１）の状態においてＣＣＤイメージセンサで読取った画像データを示す平面図であり、（Ａ−３）は（Ａ−２）の線分Ｍの位置において読取った画像データの１ラインの濃度を示すデータ（以下、ラインデータという）を示す。また、（Ｂ−１）〜（Ｂ−３）は、第２の状況として、第１の状態からＬＥＤ１０１〜１０８を消灯し、ＬＥＤ１０９〜１２０を点灯したときを示している。第２の状況において、（Ｂ−１）は、図２（Ａ）に示すように原稿載置台３１の上端部に位置する照射部３２の断面を示し、（Ｂ−２）は（Ｂ−１）の状態においてＣＣＤイメージセンサで読み取った画像データを示す平面図であり、（Ｂ−３）は（Ｂ−２）の線分Ｍの位置において読取った画像データのラインデータを示す。また、（Ｃ−１）〜（Ｃ−３）は、第２の状況から続く第３の状況として、ＬＥＤ１０９〜１１２を消灯し、ＬＥＤ１１３〜１２０を点灯したときを示している。第３の状況において、（Ｃ−１）は、図２（Ａ）に示すように原稿載置台３１の上端部に位置する照射部３２の断面を示し、（Ｃ−２）は（Ｃ−１）の状態においてＣＣＤイメージセンサで読み取った画像データを示す平面図であり、（Ｃ−３）は（Ｃ−２）の線分Ｍの位置において読取った画像データのラインデータを示す。
【００３５】
なお、５１ａおよび５１ｂは、原稿載置台３１上に載置された原稿に記載されている部分画像である。なお、（Ａ−１）、（Ｂ−１）、（Ｃ−１）において、白色のＬＥＤは点灯を示し、黒色のＬＥＤは消灯を示す。
【００３６】
図３を参照して、まず、第１の状況について説明する。このとき、原稿２００の端縁よる影は形成されない（図３における、Ａ−１）。したがって、ＣＣＤイメージセンサが読取った画像データには、原稿２００の厚みによる原稿２００の主走査方向の端縁の影は含まれない（Ａ−２）。ゆえに、線分Ｍの位置におけるラインデータには、原稿２００に記載された部分画像データ５１ａおよび５１ｂからなる部分画像濃度データ５２ａおよび５２ｂのみが存在する（Ａ−３）。
【００３７】
引き続き、第２の状況について説明する。このとき、原稿２００の端縁よりもＬＥＤ１２０側にあるＬＥＤ１０９〜１２０の照射により、原稿２００の主走査方向の端縁の影６０は形成される（Ｂ−１）。ここにおいて、点灯している一方端部であるＬＥＤ１０９の照射光は、原稿２００の端縁に対して４５度の角度で入射するものとする。また、ＣＣＤイメージセンサが読取った画像データには、原稿２００の厚みによる原稿２００の主走査方向の端縁の影データ６１が含まれる（Ｂ−２）。ゆえに、線分Ｍの位置におけるラインデータには、原稿２００の部分画像データ５１ａおよび５１ｂに基づく部分画像濃度データ５２ａおよび５２ｂに加え、原稿２００の主走査方向の端縁の影に基づく影濃度データ６２が存在する（Ｂ−３）。
【００３８】
さらに引き続き、第３の状況について説明する。このとき、原稿２００の端縁よりもＬＥＤ１２０側にあるＬＥＤの照射により、原稿２００の主走査方向の端縁の影７０は形成される（Ｃ−１）。ここにおいて、点灯されている一方端部であるＬＥＤ１１３の照射光は、原稿２００の端縁に対して３０度の角度で入射するものとする。また、ＣＣＤイメージセンサが読取った画像データには、原稿２００の厚みによる原稿２００の主走査方向の端縁の影データ７１が含まれる（Ｃ−２）。ゆえに、線分Ｍの位置におけるラインデータには、原稿２００の部分画像データ５１ａおよび５１ｂに基づく部分画像濃度データ５２ａおよび５２ｂに加え、原稿の主走査方向の端縁の影に基づく影濃度データ７２が存在する（Ｃ−３）。
【００３９】
なお、最終的には、すべてのＬＥＤ１０１〜１２０は消灯される。
【００４０】
上記したように、ＬＥＤ１０１〜１２０が消灯される各状況に応じて、原稿２００の主走査方向の端縁の影６０および影７０は形成され、影データ６１および影データ７１として読取られる。したがって、第２および第３の状況におけるラインデータは、部分画像濃度データ５２ａおよび５２ｂとともに、影濃度データ６２および影濃度データ７２を含む。
【００４１】
ここで、影検知器は、ＬＥＤ１０１〜１２０全点灯におけるラインデータと、順に消灯されていく第２および第３の状況とのラインデータとの差分を算出することで、原稿２００の主走査方向の端縁の影に基づいて、原稿２００の主走査方向のサイズを検知することが可能となる。したがって、原稿２００の主走査方向のサイズを検知することが可能となる。
【００４２】
なお、影検知器にとって、第２の状況のラインデータに比べ、第３の状況のラインデータの方が広い幅の影濃度データを示すため、より原稿２００の主走査方向のサイズの検知が容易である。
【００４３】
なお、照射部３２を副走査方向に移動させ、読取りを行うと同時に、原稿２００の副走査方向に平行な端縁の影を形成し、得られるラインデータと、ＬＥＤ１０１〜１２０が全点灯時のラインデータとの差分を算出して原稿２００の主走査方向のサイズを検知してもよい。また、プレスキャンとして、原稿２００の読取りは行わず、原稿２００の主走査方向のサイズを検知するためだけに、動作するよう制御してもよい。
【００４４】
なお、この場合、ラインデータの差分が検知される位置に存在するＬＥＤを特定するのが好ましい。
【００４５】
次に、フォトセンサ３５について説明する。再び、図２を参照して、フォトセンサ３５は、原稿載置台３１の下部に設けられ、Ａ４サイズの原稿をホームポジションに縦向きに載置したときは原稿に覆われ、かつＡ４サイズの原稿をホームポジションに横向きに載置したときは原稿に覆われない位置に設けられる。
【００４６】
フォトセンサ３５は、原稿がホームポジションに載置されたとき、原稿で覆われた場合をＯＮとして検知し、覆われない場合をＯＦＦとして検知する。ここにおいて、制御部１１は、フォトセンサ３５がＯＮならば、Ａ３サイズの原稿か、または縦向きに載置されたＡ４サイズの原稿かの２つの載置パターンのどちらかであると認識する。一方、フォトセンサ３５がＯＦＦならば、横向きに載置されたＡ４サイズの原稿か、または縦または横向きに載置されたＡ５サイズの原稿かの３つの載置パターンのどれかであるということを認識する。
【００４７】
上記した原稿の主走査方向の端縁の影の位置と、載置パターンの認識とにより、制御部１１は、原稿のサイズを特定する。このとき、制御部１１は、特定手段として作動する。
【００４８】
次に、上記した原稿サイズ検知装置を含むデジタル複合機１０において、制御部１１による原稿サイズの検知の動作について説明する。図４は、制御部１１の動作を示すフローチャートである。制御部１１は、上記したフォトセンサ３５により、原稿の副走査方向のサイズによる載置パターンを認識する。その後、上記した原稿の主走査方向の端縁の影の形成、および影の位置の検知により、原稿の主走査方向のサイズを検知する。これらにより、制御部１１は、原稿のサイズの特定を行う。
【００４９】
図４を参照して、制御部１１は、ホームポジションに原稿が載置されたとき、フォトセンサ３５がＯＮか否かを検知する（図４における、ステップＳ１０１。以下、ステップ省略）。次に、フォトセンサ３５がＯＮであるときは（Ｓ１０１において、ＹＥＳ）、Ａ３サイズの原稿か、または縦向きに載置されたＡ４サイズの原稿かの２つの載置パターンのどちらかであると認識する（Ｓ１０２）。照射部３２のＬＥＤ１０１〜１２０を全点灯させた後、順にＬＥＤ１０１から１２０までを消灯する（Ｓ１０３）。次に、ＬＥＤ１０１〜１２０の消灯により、形成された原稿の主走査方向の端縁の影に基づく影濃度データを含むラインデータが、縦向きに載置されたＡ４サイズの原稿で得られるラインデータか否かを検知する（Ｓ１０４）。次に、ラインデータが縦向きに載置されたＡ４サイズの原稿であると検知した場合は（Ｓ１０４において、ＹＥＳ）、「縦向きに載置されたＡ４サイズの原稿」と特定する（Ｓ１０５）。また、縦向きに載置されたＡ４サイズの原稿で得られるラインデータを検知しなかった場合は（Ｓ１０４において、ＮＯ）、「Ａ３サイズの原稿」と特定する（Ｓ１０６）。
【００５０】
一方、フォトセンサ３５がＯＦＦであるときは（Ｓ１０１において、ＮＯ）、横向きに載置されたＡ４サイズの原稿か、または縦および横向きに載置されたＡ５サイズの原稿かの３つの載置パターンのどれらかであると認識する（Ｓ１０７）。照射部３２のＬＥＤ１０１〜１２０を全点灯させた後、順にＬＥＤ１０１から１２０までを消灯する（Ｓ１０８）。次に、ＬＥＤ１０１〜１２０により、形成された原稿の主走査方向の端縁の影に基づく影濃度データを含むラインデータが、横向きに載置されたＡ５サイズの原稿で得られるラインデータか否かを検知する（Ｓ１０９）。次に、ラインデータが横向きに載置されたＡ５サイズの原稿であると検知した場合は（Ｓ１０９において、ＹＥＳ）、「横向きに載置されたＡ５サイズの原稿」と特定する（Ｓ１１０）。また、横向きに載置されたＡ５サイズの原稿で得られるラインデータを検知しなかった場合は（Ｓ１０９において、ＮＯ）、縦向きに載置されたＡ５サイズの原稿で得られるラインデータか否かを検知する（Ｓ１１１）。ラインデータが縦向きに載置されたＡ５サイズの原稿であると検知した場合は（Ｓ１１１において、ＹＥＳ）、「縦向きに載置されたＡ５サイズの原稿」と特定する（Ｓ１１２）。また、縦向きに載置されたＡ５サイズの原稿で得られるラインデータを検知しなかった場合は（Ｓ１１１において、ＮＯ）、「横向きに載置されたＡ４サイズの原稿」と特定する（Ｓ１１３）。
【００５１】
以上、上記したように構成することにより、連続して設けられた小光源であるＬＥＤを個別に点灯および消灯するよう制御することで、形成される原稿の主走査方向の端縁の影を確実に形成することが可能となる。これにより、原稿の主走査方向の端縁の影の位置を検知することにより、原稿の主走査方向のサイズを確実に検知することが可能となる。
【００５２】
また、副走査方向の所定の位置まで延在するか否かを検知することにより、容易に原稿のサイズを検知することが可能となる。
【００５３】
なお、上記の実施形態において、原稿の主走査方向の端縁の影を形成するために、検知を開始したとき、照射部のＬＥＤを全点灯した後、一つずつ消灯して影を形成する形態で説明したが、これに限ることなく、検知を開始したときＬＥＤを全消灯の状態から、一つずつ点灯して影を形成する形態でもよい。
【００５４】
なお、上記の実施形態において、制御部１１は、照射部３２の一方端側、具体的には図３において、ＬＥＤの消灯をＬＥＤ１０１から１２０の方向で制御する形態で説明したが、これに限ることなく、上記した原稿の主走査方向の端縁の影の形成、および影の位置の検知において、所望のラインデータを検知することが可能な位置の近傍を点灯および消灯するようＬＥＤ１０１〜１２０を制御する形態でもよい。たとえば、縦向きに載置されたＡ４サイズの原稿の端縁の影を形成するためのＬＥＤの入射角が３０度となるＬＥＤの消灯の状況がＬＥＤ１０１〜１１２であること予めハードディスク１７に格納しておけば、フォトセンサ３５がＯＮの場合、ＬＥＤ１０１〜１２０を全点灯の後、ＬＥＤ１０１〜１１２を一気に消灯するよう制御することで所望のラインデータを検知し、その結果、Ａ４サイズの原稿であるか否かが検知可能となる。すなわち、原稿の主走査方向のサイズの検知動作が、簡素化することが可能である。
【００５５】
なお、上記した実施形態において、照射部はＬＥＤの数を２０個備えるとして説明したが、これに限ることなく、ＬＥＤを複数個主走査方向に連続して備えられれば、任意の個数でもよい。
【００５６】
なお、上記した実施形態において、小光源としてＬＥＤで説明したが、これに限ることなく、サイズの小さな光源であればよい。たとえば、電球、ランプなど任意の点光源でもよい。
【００５７】
なお、上記の実施形態において、フォトセンサによって原稿の副走査方向が所定の位置まで延在するか否かを検知して、副走査方向のサイズを認識する形態で説明したが、これに限ることなく、照射部を副走査方向に移動させて、主走査方向と同様に、副走査方向のサイズを検知してもよい。
【００５８】
なお、上記の実施形態に加え、給紙部２３の給紙カセット内に格納される用紙のサイズに基づいて、用紙サイズが検出され得るようＬＥＤの点灯および消灯を制御してもよい。こうすることにより、たとえば、給紙部２３に格納される用紙のサイズがＡ３サイズの原稿とＡ４サイズの原稿しか格納されていない場合、フォトセンサ３５がＯＮのときは、縦向きに載置された４サイズの原稿で検知を行うことで、原稿の主走査方向のサイズを特定し、また、フォトセンサ３５がＯＦＦのときも、その段階で原稿の主走査方向のサイズを特定してもよい。
【００５９】
なお、上記の実施形態において、載置する原稿はＡ系サイズの原稿のみで説明したが、これに限ることなく、Ｂ系サイズの原稿でもよい。また、Ａ系サイズの原稿と、Ｂ系サイズの原稿とを混合してもよい。
【００６０】
なお、上記の実施形態においては、ホームポジションとして原稿載置台の四隅の一角で説明したが、これに限ることなく、任意の位置を定位置としてもよい。
【００６１】
なお、上記の実施形態においては、照射部に備えられた小光源はＬＥＤを１列に連続して有する構成で説明したが、これに限ることなく、原稿の主走査方向の端縁の影を形成が可能な配列であれば、複数列に連続してＬＥＤを有する構成でもよい。
【００６２】
以上、図面を参照してこの発明の実施形態を説明したが、この発明は、図示した実施形態に限られない。図示した実施形態に対して、この発明と同一の範囲内において、あるいは均等内において、種々の修正や変形を加えることが可能である。
【符号の説明】
【００６３】
１０  デジタル複合機、１１  制御部、１２  ＤＲＡＭ、１３  操作部、１４  原稿送り装置、１５  画像読取り部、１６  画像形成部、１７  ハードディスク、１８  ＦＡＸ通信部、１９  ネットワークＩＦ部、２０  公衆回線、２１  ネットワーク、２２パソコン、２３  給紙部、３１  原稿載置台、３２  照射部、３３  原稿押さえ、３４ａ,３４ｂ  原稿サイズ指示板、３５  フォトセンサ、４１  基盤、５１ａ,５１ｂ  部分画像データ、５２ａ,５２ｂ  部分画像濃度データ、６０  影、６１  影データ、６２  影濃度データ、７０  影、７１  影データ、７２  影濃度データ、１０１〜１２０  白色ＬＥＤチップ、２００  原稿。
【図１】
2010276633.tif 000003
【図２】
2010276633.tif 000004
【図３】
2010276633.tif 000005
【図４】
2010276633.tif 000006